(57)【要約】  【課題】  携帯通信端末の使用時に、ユーザが意識して測定操作等を行うことなく、簡便に健康状態に関する情報を取得し、健康管理に利用可能にする。  【解決手段】  携帯通信端末１１には、操作部１８の表面部等に皮膚センサ１５が設けられる。携帯通信端末１１の情報処理部１４は、自端末の使用時に皮膚センサ１５で検出されたユーザの皮膚情報を皮膚情報保存部１６に保存するとともに、通信部１９より通信ネットワーク１３を介してサーバ２１へ皮膚情報を送信する。サーバ２１は、携帯通信端末１１から送られてきた皮膚情報を皮膚情報格納部２３に格納して蓄積するとともに、健康管理情報提供部２２において、皮膚情報に応じた健康管理情報を生成して携帯通信端末１１へ送信する。携帯通信端末１１は、受信した健康管理情報を表示部１７に表示する。これにより、ユーザは適切な健康管理情報を得て健康管理に利用することができる。【選択図】  図１
2005027963.tif 000002
【特許請求の範囲】
【請求項１】
ユーザが操作を行う操作部の表面部またはユーザが把持する筐体の外表面に設けられ、接触する皮膚の皮膚情報を検出する皮膚情報検出部と、
前記皮膚情報検出部で検出した皮膚情報を保存する皮膚情報保存部と、
前記皮膚情報を送信する皮膚情報送信部と
を備える携帯通信端末。
【請求項２】
請求項１記載の携帯通信端末であって、
前記皮膚情報または前記皮膚情報に基づいて求められた健康管理に関する情報を表示する表示部を備える携帯通信端末。
【請求項３】
皮膚情報検出部を備える携帯通信端末と接続されるサーバであって、
前記携帯通信端末より送られてきた皮膚情報を受信する皮膚情報受信部と、
前記皮膚情報を格納する皮膚情報格納部と、
前記皮膚情報に基づいて健康管理に関する健康管理情報を出力し、この健康管理情報を前記携帯通信端末へ提供する健康管理情報提供部と
を備えるサーバ。
【請求項４】
ユーザが操作を行う操作部の表面部またはユーザが把持する筐体の外表面に設けられ、接触する皮膚の皮膚情報を検出する皮膚情報検出部と、前記皮膚情報検出部で検出した皮膚情報を保存する皮膚情報保存部と、前記皮膚情報を送信する皮膚情報送信部とを備える携帯通信端末と、
前記携帯通信端末と通信回線を介して接続され、前記携帯通信端末より送られてきた皮膚情報を受信する皮膚情報受信部と、前記皮膚情報を格納する皮膚情報格納部と、前記皮膚情報に基づいて健康管理に関する健康管理情報を出力し、この健康管理情報を前記携帯通信端末へ提供する健康管理情報提供部とを備えるサーバとを有する健康管理情報通信システム。
【発明の詳細な説明】
【技術分野】
【０００１】
本発明は、ユーザの健康管理に適用可能な携帯通信端末、サーバ及び健康管理情報通信システムに関する。
【背景技術】
【０００２】
従来から、肌の診断や化粧の指導を受けるために皮膚の状態を測定する皮膚情報測定システムが提案されている。この皮膚情報測定システムは、皮膚センサによって検知した例えば個人の肌に関する情報を、ユーザが端末から通信回線を介してサーバに伝送し、この伝送された情報をサーバにおいて蓄積及び分析し、そのユーザ個人にもっとも適合した肌の手入れに関する情報を再びユーザの端末返信するというものである。ユーザ個人の肌に関する情報としては、肌の保湿力、油脂分、ＰＨ濃度、弾性などがある。
【０００３】
この皮膚情報測定システムの利用にあたっては、ユーザ自身が、端末に皮膚情報検出用のセンサを接続し、さらにその端末をネットワークを介してサーバに接続するという作業を行う。すると、皮膚センサで測定した肌の状況がサーバに送信され、適切な肌の手入れ方法についての要求がサーバに対して行われる。一方、サーバは、蓄積済みの過去の肌生理情報、属性などにもとづき肌質判定を行って、例えば化粧方法などをユーザの端末に返信し、表示させる（例えば、特許文献１参照）。
【０００４】
また、別の皮膚情報測定システムとして、モバイル装置に圧力センサ、ＰＨ測定器、保湿分センサをディスプレイなどとともに設け、これらの測定器やセンサで測定したデータをサーバに送信し、サーバはこれらのデータをもとにして肌の診断や化粧の評価を行うものがある。なお、その評価結果はモバイル装置に送信され、ディスプレイ上に診断評価や化粧アドバイスとして表示される（例えば、特許文献２参照）。
【０００５】
【特許文献１】特開平２００２−２２４０４９号公報
【特許文献２】特開平２００２−３５８３５３号公報
【発明の開示】
【発明が解決しようとする課題】
【０００６】
しかしながら、前記従来の皮膚情報測定システムにあっては、ユーザ自身や測定依頼者自身が前記の各種センサや携帯端末等を操作して測定を行い、サーバに対し接続を行うことによって、肌の状況やアドバイスを受けるための情報を送信し、肌の手入れや評価を要求するという手順を自発的に行う必要がある。従って、前記操作、接続、送信、要求のための作業が煩わしく、サーバからサービスを受けるのに時間が掛かってしまう。
【０００７】
本発明は、上記事情に鑑みてなされたもので、ユーザが意識して測定操作等を行う必要が無く、簡便に健康状態に関する情報を取得でき、健康管理に利用することが可能な携帯通信端末、サーバ及び健康管理情報通信システムを提供することを目的とする。
【課題を解決するための手段】
【０００８】
本発明の携帯通信端末は、ユーザが操作を行う操作部の表面部またはユーザが把持する筐体の外表面に設けられ、接触する皮膚の皮膚情報を検出する皮膚情報検出部と、前記皮膚情報検出部で検出した皮膚情報を保存する皮膚情報保存部と、前記皮膚情報を送信する皮膚情報送信部とを備えるものである。
【０００９】
この構成により、携帯通信端末の使用時にユーザが操作部を操作したり筐体を把持するときの皮膚情報が皮膚情報検出部により検出され、皮膚情報保存部に保存される。また、この皮膚情報は、皮膚情報送信部により外部のサーバ等に送信される。このため、ユーザが特に意識することなく、携帯通信端末の通常の使用形態において自動的に皮膚情報を取得でき、健康管理に利用することが可能である。皮膚情報としては、皮膚の温度、皮脂量、皮膚の水分量、皮膚の色、皮膚のＰＨ濃度、皮膚の弾性などのうちの少なくとも１つを検出する。
【００１０】
また、本発明の一態様として、上記の携帯通信端末であって、前記皮膚情報または前記皮膚情報に基づいて求められた健康管理に関する情報を表示する表示部を備えるものを含むこととする。
【００１１】
この構成により、取得した皮膚情報やこの皮膚情報に基づいて求められた健康管理に関する情報を表示でき、ユーザが自身に適した健康管理に関する情報を取得し、この情報を参考にして健康管理を行うことが可能である。
【００１２】
本発明のサーバは、皮膚情報検出部を備える携帯通信端末と接続されるサーバであって、前記携帯通信端末より送られてきた皮膚情報を受信する皮膚情報受信部と、前記皮膚情報を格納する皮膚情報格納部と、前記皮膚情報に基づいて健康管理に関する健康管理情報を出力し、この健康管理情報を前記携帯通信端末へ提供する健康管理情報提供部とを備えるものである。
【００１３】
この構成により、携帯通信端末で取得した皮膚情報が皮膚情報格納部に格納されて蓄積され、健康管理情報提供部において、例えば現在の皮膚情報と過去の皮膚情報とを参照してユーザの体調等に応じた食事メニューなどの健康管理情報が求められ、携帯通信端末に提供される。このため、ユーザにおいては、皮膚情報に基づく自身に適した健康管理に関する情報を得ることが可能となる。
【００１４】
本発明の健康管理情報通信システムは、ユーザが操作を行う操作部の表面部またはユーザが把持する筐体の外表面に設けられ、接触する皮膚の皮膚情報を検出する皮膚情報検出部と、前記皮膚情報検出部で検出した皮膚情報を保存する皮膚情報保存部と、前記皮膚情報を送信する皮膚情報送信部とを備える携帯通信端末と、前記携帯通信端末と通信回線を介して接続され、前記携帯通信端末より送られてきた皮膚情報を受信する皮膚情報受信部と、前記皮膚情報を格納する皮膚情報格納部と、前記皮膚情報に基づいて健康管理に関する健康管理情報を出力し、この健康管理情報を前記携帯通信端末へ提供する健康管理情報提供部とを備えるサーバとを有するものである。
【００１５】
この構成により、ユーザが特に意識して測定操作等を行う必要が無く、携帯通信端末の通常の使用形態において簡便に健康状態に関する情報として皮膚情報を取得でき、健康管理に利用することが可能である。また、携帯通信端末で取得された皮膚情報やサーバに蓄積された過去の皮膚情報などに基づき、健康管理情報を求めて携帯通信端末に提供することで、ユーザは自身に適した健康管理情報を簡便に得ることができ、この健康管理情報によって健康管理を行うことが可能である。
【発明の効果】
【００１６】
本発明によれば、ユーザが意識して測定操作等を行う必要が無く、簡便に健康状態に関する情報を取得でき、健康管理に利用することが可能な携帯通信端末、サーバ及び健康管理情報通信システムを提供できる。
【発明を実施するための最良の形態】
【００１７】
図１は本発明の実施形態を説明するための健康管理情報通信システムを示す図である。
本実施形態に係る健康管理情報通信システムは、携帯通信端末１１とサーバ２１とを有し、これらが通信ネットワーク１３を介して接続されている。通信ネットワーク１３としては、移動体通信システムの無線及び有線のネットワークなどが用いられる。
【００１８】
携帯通信端末１１は、情報処理部１４と、皮膚センサ１５と、皮膚情報保存部１６と、表示部１７と、操作部１８と、通信部１９とを備えている。これらのうち、情報処理部１４は、プロセッサ、ＲＡＭ等を含んで構成され、各部の動作制御を行うとともに、皮膚情報等に基づく健康管理に関する健康管理情報の処理や、通信部１９における情報の送受信の制御を行う。
【００１９】
皮膚情報検出部の一例として設けられる皮膚センサ１５は、携帯通信端末を扱うユーザの指の皮膚の温度、皮脂量、皮膚の水分量、皮膚の色、皮膚のＰＨ濃度、皮膚の弾性などの少なくとも１つを皮膚情報として検出するものである。この皮膚センサ１５は、操作部１８の操作キーのうちの使用頻度の高いキー、例えば数字キー（テンキー）や決定キーなどの表面部に設けられ、接触したユーザの指の皮膚の状態を検出したり、キーの動きに応じて動作して皮膚の弾性を検出したりする。なお、皮膚センサ１５は、皮膚の温度や皮脂量、水分量などを独自に検出するためにキーごとに各センサを独立して設けてもよい。また、筐体におけるユーザが把持する部分の外表面に皮膚センサ１５を設けてもよい。
【００２０】
皮膚情報保存部１６は、メモリ等により構成され、皮膚センサ１５により検出した各皮膚情報を保存するように機能する。この皮膚情報保存部１６は、過去に測定した皮膚情報も蓄積している。表示部１７は、液晶表示装置等により構成され、携帯通信端末１１の各種情報を文字や画像等で表示するものである。ここでは、皮膚センサ１５による皮膚情報の測定結果や、この測定結果に基づいて情報処理部１４が演算処理した健康管理に関する情報、例えばユーザの体調に応じた必要な栄養素やこの栄養素を多く含んだ食品などを表示する。通信部１９は、皮膚情報送信部として機能し、皮膚情報等をサーバ２１などに向けて通信ネットワーク１３を介して送信する。
【００２１】
サーバ２１は、健康管理情報提供部２２と、皮膚情報格納部２３と、通信部２４とを備えている。これらのうち、健康管理情報提供部２２は、プロセッサ、ＲＡＭ等を含んで構成され、各部の動作制御を行うとともに、携帯通信端末１１を通じてユーザから送信された皮膚情報に基づいてユーザの体調などに関する健康管理情報を生成して提供する。例えば、栄養バランスを考えた食事のメニューを提案するために作成したり、健康に関する注意情報を生成して携帯通信端末１６へ送信し、ユーザに提供するように機能する。また、皮膚情報格納部２３は、当該ユーザや他の複数人物に関する過去の皮膚情報を含むデータを格納するデータベースを有して構成される。
【００２２】
健康管理情報提供部２２は、携帯通信端末１６から送られてきたユーザの皮膚情報と皮膚情報格納部２３に格納された当該ユーザの過去の皮膚情報や他の複数人の過去の皮膚情報とを参照して、ユーザの健康状態を算出し、ユーザの体調に合った適切な健康管理情報を生成して出力する。通信部２４は、皮膚情報受信部として機能し、携帯通信端末１６からの皮膚情報を受信するとともに、前記生成した健康管理情報を通信ネットワーク１３を介して携帯通信端末１１へ送信する。
【００２３】
なお、携帯通信端末１１で取得した皮膚情報は、例えばユーザ個人で管理しているパーソナルコンピュータなど、他のコンピュータ４１に送信して格納することもできる。
【００２４】
図２は携帯通信端末１１の構成の一例を示す外観図である。ここでは折り畳み型の携帯通信端末の構成例を示している。携帯通信端末１１は、第１筐体３１と第２筐体３２とが開閉する折り畳み型の筐体を有して構成され、第１筐体３１には表示部１７が設けられている。第２筐体３２には、操作部１８として数字キーを含むデータキー部３３と各種機能の設定や選択等を行う制御キー部３４とが設けられている。また、第２筐体３２の側部には、折り畳み型の筐体をボタン操作で開くためのオープンボタン３５が設けられている。皮膚センサ１５は、例えば、制御キー部３４のうちの中心部に配置され使用頻度の高い確定キー３４ａの表面部に設けられる。なお、この皮膚センサ１５は、使用頻度の高い確定キー３４ａ以外の他の制御キーや数字キー等の１つまたは複数に設けることもできる。また、操作開始時に使用頻度の高いオープンボタン３５に設けてもよい。
【００２５】
上記のように構成された健康管理情報通信システムの動作について図３を用いて説明する。図３は本実施形態の健康管理情報通信システムにおける動作を説明するためのフロー図である。この例では、折り畳み型の携帯通信端末１１の筐体を開くための操作手段であるオープンボタン３５に皮膚センサ１５を設け、取得した皮膚情報に基づいてユーザの体調に適した食事のお勧めメニューを提供する場合を説明する。
【００２６】
まず、処理の前に、ユーザは携帯通信端末１１の操作部１８の制御キーやデータキーを操作してユーザの年令、性別を登録しておく（Ｕ１）。
【００２７】
ユーザは携帯通信端末１１を使用する際、オープンボタン３５を押して筐体を開く（Ｕ２）。このとき、オープンボタン３５には皮膚センサ１５が設けられており、この皮膚センサ１５は、触れているユーザの指の皮膚の温度、皮脂量、皮膚の水分量、皮膚の色、皮膚のＰＨ濃度、皮膚の弾性などのうち、少なくとも１つを皮膚情報として測定する（Ｔ１）。そして、携帯通信端末１１において、情報処理部１４はこれらの測定した皮膚情報を皮膚情報保存部１６に保存するとともに、通信ネットワーク１３を介して皮膚情報をサーバ２１へ送信する（Ｔ２）。
【００２８】
サーバ２１は、携帯通信端末１１から送られてきた皮膚情報を受信し、皮膚情報格納部２３に保存する（Ｓ１）。また、健康管理情報提供部２２により、現在得られた皮膚情報と皮膚情報格納部２３に格納されている過去の皮膚情報とに基づいて、適切な健康管理に関する情報を算出する。ここでは、ユーザの皮膚情報に基づいてユーザの体調を判断し、必要な栄養素、この栄養素を含む食品や薬品、あるいは栄養バランスを考えた食事などのお勧めメニューを求め、このお勧めメニュー情報を通信ネットワーク１３を介して携帯通信端末１１へ送信する（Ｓ２）。
【００２９】
携帯通信端末１１は、サーバ２１から送られてきたお勧めメニュー情報を受信し、表示部１７に取得したお勧めメニューを文字や画像で表示する（Ｔ３）。ユーザは、携帯通信端末１１のオープンボタン３５を押して筐体を開くと直ちに表示部１７において体調にあった食事などのお勧めメニューを確認する（Ｕ３）。したがって、ユーザはこのお勧めメニューなどの健康管理アドバイス情報を参考として、必要な健康管理対策をとることができる。
【００３０】
携帯通信端末１１の使用時には、ユーザが操作のために確定キー３４ａに頻繁に指で触れるため、確定キー３４ａに皮膚センサ１５を設けることによって、多くの皮膚情報を得ることが可能である。また、得られた皮膚情報の測定結果や保存された過去の皮膚情報に基づいて、皮膚（肌）年令などを算出し、健康管理に関する情報として皮膚等の健康管理アドバイス情報を求め、ユーザに提供することも可能である。求めた皮膚年令や健康管理に関する情報は、文字や図形あるいは推移グラフ等にて表示部１７に表示される。皮膚情報や健康管理情報をグラフかして表示することで、健康状態の移り変わりを把握できる。なお、必要に応じてユーザの体調に合った美肌器具や化粧品の表示などを行うこともできる。このように本実施形態では、携帯通信端末１１の使用開始の度、または使用中に、皮膚情報が自動的に測定され、この皮膚情報に基づく健康管理情報が表示部１７に自動表示される。
【００３１】
また、携帯通信端末１１からユーザが所持している他のコンピュータ４１へ皮膚情報の測定結果を送信して、この皮膚情報をコンピュータ４１において保存したり、削除するなど、皮膚情報の管理を行うこともできる。この場合、ユーザは、このコンピュータ４１に保存された皮膚情報を今後の自身の健康管理に役立てることが可能である。
【００３２】
本実施形態によれば、携帯通信端末の通常の使用形態において、ユーザの皮膚情報を測定でき、ユーザが特に意識することなく、特別の操作や作業を行わずに自動的に皮膚情報を取得して蓄積保存することが可能である。また、皮膚情報の測定結果に基づいて求められた健康管理に関する情報を取得し、携帯通信端末に表示することができ、ユーザは適切な健康管理情報を得ることが可能である。携帯通信端末に表示された健康管理情報によって、ユーザは自身の体調に合った健康管理を行うことができる。
【産業上の利用可能性】
【００３３】
本発明は、ユーザが意識して測定操作等を行う必要が無く、簡便に健康状態に関する情報を取得でき、健康管理に利用することが可能となる効果を有し、ユーザの健康管理に適用可能な携帯通信端末、サーバ及び健康管理情報通信システム等に有用である。
【図面の簡単な説明】
【００３４】
【図１】本発明の実施形態を説明するための健康管理情報通信システムを示す図
【図２】本実施形態における携帯通信端末の構成の一例を示す外観図
【図３】本実施形態の健康管理情報通信システムにおける動作を説明するためのフロー図
【符号の説明】
【００３５】
１１  携帯通信端末
１３  通信ネットワーク
１４  情報処理部
１５  皮膚センサ
１６  皮膚情報保存部
１７  表示部
１８  操作部
１９、２４  通信部
２１  サーバ
２２  健康管理情報提供部
２３  皮膚情報格納部
３３  データキー部
３４  制御キー部
３５  オープンボタン
【図１】
2005027963.tif 000003
【図２】
2005027963.tif 000004
【図３】
2005027963.tif 000005